(57)【要約】【課題】基材に対してエンボス加工を行うにあたり装置の製造コストを低減するとともにエンボス加工にかかる時間を短縮することができ、しかもシート状媒体に形成される凹凸模様を鮮明なものとすることができるエンボス加工装置およびエンボス加工方法を提供する。【解決手段】エンボス加工装置は、エンボスロール１０と受けロール２０との間に挟まれるべき基材における接着剤が供給された側の面にシート状媒体４０を供給するシート状媒体供給部を備えており、エンボスロール１０と受けロール２０との間において、シート状媒体４０と基材との間に接着剤が挟まれた状態で基材におけるシート状媒体４０が設けられた側の面がエンボスロール１０により受けロール２０側に押圧されるようになっている。また、エンボス版１２は、接着剤供給部３０により供給される接着剤の温度よりも低い温度に維持されるようになっている。【選択図】図１
2017039225.tif 000002
【特許請求の範囲】
【請求項１】
枚葉状の基材にエンボス加工を行うエンボス加工装置であって、
基材を搬送する搬送部と、
前記搬送部により搬送される基材の表面に接着剤を供給する接着剤供給部と、
その外周面にエンボス版が設けられたエンボスロールと、
前記エンボスロールに対向するよう設けられ、前記搬送部により搬送される基材が前記エンボスロールとの間に挟まれる受けロールと、
前記エンボスロールと前記受けロールとの間に挟まれるべき基材における前記接着剤供給部により接着剤が供給された側の面にシート状媒体を供給するシート状媒体供給部と、
を備え、
前記エンボスロールと前記受けロールとの間において、前記シート状媒体供給部から供給されたシート状媒体と基材との間に前記接着剤供給部から供給された接着剤が挟まれた状態で基材におけるシート状媒体が設けられた側の面が前記エンボスロールにより前記受けロール側に押圧されるようになっており、
前記エンボスロールの前記エンボス版は、前記接着剤供給部により供給される接着剤の温度よりも低い温度に維持されるようになっている、エンボス加工装置。
【請求項２】
前記接着剤供給部は、１００度乃至１５０度の範囲内の温度の接着剤を基材に供給するようになっている、請求項１記載のエンボス加工装置。
【請求項３】
前記エンボスロールの前記エンボス版を冷却するためのエンボスロール冷却部を更に備えた、請求項１または２記載のエンボス加工装置。
【請求項４】
前記搬送部により搬送される基材におけるシート状媒体が供給される側の面とは反対側の面にシート状の保護媒体が設置されている、請求項１乃至３のいずれか一項に記載のエンボス加工装置。
【請求項５】
枚葉状の基材にエンボス加工を行うエンボス加工方法であって、
基材を搬送する工程と、
搬送される基材の表面に接着剤を供給する工程と、
搬送される基材における接着剤が供給された側の面にシート状媒体を供給する工程と、
その外周面にエンボス版が設けられたエンボスロールと受けロールとの間において、供給されたシート状媒体と基材との間に接着剤が挟まれた状態で基材におけるシート状媒体が設けられた側の面をエンボスロールにより受けロール側に押圧する工程と、
を備え、
前記エンボスロールの前記エンボス版は、供給される接着剤の温度よりも低い温度に維持されるようになっている、エンボス加工方法。
【発明の詳細な説明】
【技術分野】
【０００１】
本発明は、枚葉状の基材にエンボス加工を行うエンボス加工装置およびこのようなエンボス加工装置によるエンボス加工方法に関する。
【背景技術】
【０００２】
枚葉状の木製や鉄製の基材にエンボス加工を行うことによって凹凸模様を形成することにより意匠性の高い化粧材（例えば、壁紙や床材等）を製造するエンボス加工装置として従来から様々なタイプのものが知られている。例えば、特許文献１には、エンボス版が形成されたエンボスロールと受けロールとの間に基材を送り、エンボスロールによって基材を受けロール側に押圧することにより基材におけるエンボス版に接触する側の表面に凹凸模様を形成するような化粧材の加飾方法が開示されている。
【０００３】
より詳細に説明すると、枚葉状の基材にエンボス加工を行うにあたり、従来では、基材の表面全域に接着剤を塗布した後、この基材の表面に化粧シートを載せることにより当該化粧シートを基板の表面に貼り付け、その後、化粧シートが接着剤により基材の表面に貼り付けられた状態で当該基材をエンボスロールと受けロールとの間に送ることにより、エンボス版によって化粧シートに凹凸模様を形成していた。
【先行技術文献】
【特許文献】
【０００４】
【特許文献１】特開２００３−１１５９５号公報
【発明の概要】
【発明が解決しようとする課題】
【０００５】
しかしながら、上述した従来のエンボス加工方法では、基材の表面全域に接着剤を塗布した後、この基材の表面に化粧シートを載せて当該化粧シートを基板の表面に貼り付ける工程、および基材をエンボスロールと受けロールとの間に送る工程という２つの工程が必要となり、各々の工程で専用の加工装置が必要となるため、エンボス加工装置の製造コストが増大してしまうという問題がある。また、上述した従来のエンボス加工方法では２つの工程が必要となるためリードタイムが長くなってしまうという問題がある。さらに、基材の表面全域に塗布される接着剤は概して高温であるため、この接着剤を自然冷却させると当該接着剤がレベリングしてしまい、このためこの接着剤を介して基材に接着された化粧シートに形成される凹凸模様がぼやけてしまうという問題がある。
【０００６】
本発明は、このような点を考慮してなされたものであり、基材に対してエンボス加工を行うにあたり装置の製造コストを低減するとともにエンボス加工にかかる時間を短縮することができ、しかも化粧シートとしてのシート状媒体に形成される凹凸模様を鮮明なものとすることができるエンボス加工装置およびエンボス加工方法に関する。
【課題を解決するための手段】
【０００７】
本発明のエンボス加工装置は、枚葉状の基材にエンボス加工を行うエンボス加工装置であって、基材を搬送する搬送部と、前記搬送部により搬送される基材の表面に接着剤を供給する接着剤供給部と、その外周面にエンボス版が設けられたエンボスロールと、前記エンボスロールに対向するよう設けられ、前記搬送部により搬送される基材が前記エンボスロールとの間に挟まれる受けロールと、前記エンボスロールと前記受けロールとの間に挟まれるべき基材における前記接着剤供給部により接着剤が供給された側の面にシート状媒体を供給するシート状媒体供給部と、を備え、前記エンボスロールと前記受けロールとの間において、前記シート状媒体供給部から供給されたシート状媒体と基材との間に前記接着剤供給部から供給された接着剤が挟まれた状態で基材におけるシート状媒体が設けられた側の面が前記エンボスロールにより前記受けロール側に押圧されるようになっており、前記エンボスロールの前記エンボス版は、前記接着剤供給部により供給される接着剤の温度よりも低い温度に維持されるようになっていることを特徴とする。
【０００８】
このようなエンボス加工装置によれば、化粧材としてのシート状媒体を基材に貼り付ける動作と、エンボスロールのエンボス版によってシート状媒体に凹凸模様を形成する動作とを同時に行うことができるようになるため、基材に対してエンボス加工を行うにあたり装置の製造コストを低減するとともにエンボス加工にかかる時間を短縮することができる。より詳細に説明すると、従来技術では、基材の表面全域に接着剤を塗布した後、この基材の表面に化粧シートを載せて当該化粧シートを基材の表面に貼り付ける工程、および基材をエンボスロールと受けロールとの間に送る工程という２つの工程が必要となり、各々の工程で専用の加工装置が必要となるため、エンボス加工装置の製造コストが増大してしまうという問題があった。これに対し、本実施の形態では、化粧材としてのシート状媒体を基材に貼り付ける動作と、エンボスロールのエンボス版によってシート状媒体に凹凸模様を形成する動作とを同時に行うことにより、上記の従来技術の問題を解決することができる。さらに、エンボスロールのエンボス版は、供給される接着剤の温度よりも低い温度に維持されるようになっているため、接着剤をエンボス版により急速に冷却することができる。この場合には、接着剤を自然冷却させる場合と比較して、接着剤がレベリングしてしまうことを防止することができ、また、粘り気のある接着剤が固化されるため、接着剤を介して基材に接着されたシート状媒体に形成される凹凸模様を鮮明なものとすることができる。また、接着剤をエンボス版により急速に冷却する場合、すなわちシート状媒体と接着剤が柔らかい状態でエンボスロールを受けロール側に押圧し、すぐに接着剤が固化して賦形が完了する場合、エンボスロールを受けロール側に押圧する力を低減することができる。そして、エンボスロールを受けロール側に押圧する力が低減すると、本発明のエンボス加工装置をコンパクト化することができるという効果が得られる。
【０００９】
本発明のエンボス加工装置においては、前記接着剤供給部は、１００度乃至１５０度の範囲内の温度の接着剤を基材に供給するようになっていてもよい。
【００１０】
本発明のエンボス加工装置は、前記エンボスロールの前記エンボス版を冷却するためのエンボスロール冷却部を更に備えていてもよい。
【００１１】
本発明のエンボス加工装置においては、前記搬送部により搬送される基材におけるシート状媒体が供給される側の面とは反対側の面にシート状の保護媒体が設置されていてもよい。
【００１２】
本発明のエンボス加工方法は、枚葉状の基材にエンボス加工を行うエンボス加工方法であって、基材を搬送する工程と、搬送される基材の表面に接着剤を供給する工程と、搬送される基材における接着剤が供給された側の面にシート状媒体を供給する工程と、その外周面にエンボス版が設けられたエンボスロールと受けロールとの間において、供給されたシート状媒体と基材との間に接着剤が挟まれた状態で基材におけるシート状媒体が設けられた側の面をエンボスロールにより受けロール側に押圧する工程と、を備え、前記エンボスロールの前記エンボス版は、供給される接着剤の温度よりも低い温度に維持されるようになっていることを特徴とする。
【００１３】
このようなエンボス加工方法によれば、化粧材としてのシート状媒体を基材に貼り付ける動作と、エンボスロールのエンボス版によってシート状媒体に凹凸模様を形成する動作とを同時に行うことができるようになるため、基材に対してエンボス加工を行うにあたり装置の製造コストを低減するとともにエンボス加工にかかる時間を短縮することができる。さらに、エンボスロールのエンボス版は、供給される接着剤の温度よりも低い温度に維持されるようになっているため、接着剤をエンボス版により急速に冷却することができる。この場合には、接着剤を自然冷却させる場合と比較して、接着剤がレベリングしてしまうことを防止することができ、また、粘り気のある接着剤が固化されるため、接着剤を介して基材に接着されたシート状媒体に形成される凹凸模様を鮮明なものとすることができる。また、接着剤をエンボス版により急速に冷却する場合、すなわちシート状媒体と接着剤が柔らかい状態でエンボスロールを受けロール側に押圧し、すぐに接着剤が固化して賦形が完了する場合、エンボスロールを受けロール側に押圧する力を低減することができる。そして、エンボスロールを受けロール側に押圧する力が低減すると、本発明のエンボス加工方法を行う際に用いられるエンボス加工装置をコンパクト化することができるという効果が得られる。
【発明の効果】
【００１４】
本発明のエンボス加工装置およびエンボス加工方法によれば、基材に対してエンボス加工を行うにあたり装置の製造コストを低減するとともにエンボス加工にかかる時間を短縮することができ、しかもシート状媒体に形成される凹凸模様を鮮明なものとすることができる。
【図面の簡単な説明】
【００１５】
【図１】本発明の実施の形態によるエンボス加工装置の構成を概略的に示す概略構成図である。
【図２】図１に示すエンボス加工装置の上面図である。
【図３】図１に示すエンボス加工装置によりエンボス加工が行われた基板の構成を示す側面図である。
【図４】変形例に係るエンボス加工装置におけるエンボスロールの構成を示す構成図である。
【発明を実施するための形態】
【００１６】
以下、図面を参照して本発明の実施の形態について説明する。図１乃至図３は、本実施の形態によるエンボス加工装置を示す図である。このうち、図１は、本実施の形態によるエンボス加工装置の構成を概略的に示す概略構成図であり、図２は、図１に示すエンボス加工装置の上面図であり、図３は、図１に示すエンボス加工装置によりエンボス加工が行われた基板の構成を示す側面図である。
【００１７】
図１および図２に示すように、本実施の形態によるエンボス加工装置１は、枚葉状の木製や鉄製の基材（図１等において参照符号Ｗで表示）を図１や図２における右方向に搬送する搬送部５０と、搬送部５０により搬送される基材の表面に樹脂等からなる接着剤（図１等において参照符号Ｐで表示）を供給するディスペンサー等の接着剤供給部３０と、その外周面にエンボス版１２が設けられたエンボスロール１０と、エンボスロール１０に対向するよう設けられ、搬送部５０により搬送される基材がエンボスロール１０との間に挟まれる受けロール２０とを備えている。また、本実施の形態によるエンボス加工装置１では、エンボスロール１０と受けロール２０との間に挟まれるべき基材における接着剤供給部３０により接着剤が供給された側の面（すなわち、図１における上側の面）に化粧材としてのシート状媒体４０が供給されるようになっている。そして、本実施の形態によるエンボス加工装置１では、エンボスロール１０と受けロール２０との間において、シート状媒体４０と基材との間に接着剤供給部３０から供給された接着剤が挟まれた状態で基材におけるシート状媒体４０が設けられた側の面がエンボスロール１０により受けロール２０側に押圧されるようになっており、このことによりエンボスロール１０のエンボス版１２の凹凸模様がシート状媒体４０に転写されるようになっている。このようなエンボス加工装置１の各構成部材の詳細について以下に説明する。
【００１８】
エンボスロール１０は軸１４を中心として図１における反時計回りの方向に回転するようになっている。また、エンボスロール１０の外周面に形成されるエンボス版１２は、凸部１２ａおよび凹部１２ｂを組み合わせたものからなる。また、本実施の形態では、エンボスロール１０の内部は中空となっており、エンボス版１２を冷却するための冷却水１６がこのエンボスロール１０の内部に設けられた中空領域に貯留されるようになっている。
【００１９】
受けロール２０は軸２２を中心として図２における時計回りの方向に回転するようになっている。また、受けロール２０は、ゴム等の弾性体から形成される外周層を有している。また、本実施の形態では、エンボスロール１０は図示しない押圧機構によって受けロール２０側に向かって押圧されるようになっている。このことにより、エンボスロール１０と受けロール２０との間の隙間を通過する基材に貼り付けられたシート状媒体４０は当該エンボスロール１０のエンボス版１２における凸部１２ａにより押圧されることによって変形し、このことによりエンボス版１２の凹凸模様がシート状媒体４０に転写されるようになっている。
【００２０】
図２に示すように、接着剤供給部３０は、搬送部５０による基材の搬送方向（すなわち、図１や図２における右方向）に直交する方向であって水平方向に延びる棒状の案内レール３２と、案内レール３２に沿って移動可能となっており接着剤を下方に吐出する接着剤吐出部材３４とを有している。そして、基材が図１や図２における二点鎖線に示す箇所に位置しているときに、接着剤吐出部材３４が案内レール３２に沿って図２における上下方向に移動しながら接着剤を基材に向かって吐出することにより、基材における幅方向（すなわち、図２における上下方向）の全域にわたって接着剤が供給されるようになる。なお、接着剤吐出部材３４から吐出される接着剤の温度は１００度乃至１５０度の範囲内となっている。
【００２１】
図１に示すように、本実施の形態によるエンボス加工装置１では、化粧材としての帯状のシート状媒体４０を巻き出す巻出ロール４２と、巻出ロール４２から巻き出されたシート状媒体４０を基材に向かって案内する案内ロール４４とがそれぞれ設けられている。そして、巻出ロール４２から巻き出され、案内ロール４４によって案内された帯状のシート状媒体４０は、搬送部５０によってエンボスロール１０と受けロール２０との間の隙間に送り込まれた基材の表面（具体的には、基材における接着剤供給部３０により接着剤が供給された側の面）に送り込まれるようになっており、このシート状媒体４０は基材とともにエンボスロール１０と受けロール２０との間に挟まれるようになっている。本実施の形態では、これらの巻出ロール４２および案内ロール４４を組み合わせることにより、シート状媒体４０を供給するシート状媒体供給部が構成されている。なお、図２では、基材やエンボスロール１０を見やすくするためにシート状媒体４０、巻出ロール４２および案内ロール４４の図示を省略している。
【００２２】
基材の搬送を行う搬送部５０は複数の搬送ローラ５１を有しており、これらの搬送ローラ５１により基材は図１や図２における右方向に搬送されるようになっている。より詳細には、図１や図２において二点鎖線で示すような位置の基材に対して接着剤供給部３０により接着剤が供給された後、搬送部５０により基材が図１や図２における右方向に搬送されることにより当該基材は図１や図２において実線で示すような位置に到達し、さらに基材が図１や図２において実線で示すような位置から搬送部５０により図１や図２における右方向に搬送されることによりこの基材はエンボスロール１０と受けロール２０との間の隙間を通って当該隙間から右方向に放出されるようになる。
【００２３】
また、本実施の形態によるエンボス加工装置１では、図３に示すように、搬送部５０により搬送される基材におけるシート状媒体４０が供給される側の面とは反対側の面にシート状の保護媒体５２が設置されている。なお、図３ではシート状の保護媒体５２を見やすくするために基材とシート状の保護媒体５２とがわずかに離間した状態で図示しているが、実際にはシート状の保護媒体５２は基材の裏面の全域と接触している状態となっている。また、このようなシート状の保護媒体５２は、接着剤供給部３０により接着剤が基材に供給される前に当該基材の裏面と接触しており、着脱自在に貼り付けられていてもよい。なお、図１および図２では図面を見やすくするためにシート状の保護媒体５２の図示を省略している。このようなシート状の保護媒体５２を設けることにより、エンボスロール１０と受けロール２０との間の隙間を基材が通過したときにこの基材とシート状媒体４０との間に挟まれている接着剤が基材の側縁部からはみ出した場合でも、はみ出した接着剤が受けロール２０等に付着してしまうことを防止することができるようになる。
【００２４】
次に、このような構成からなるエンボス加工装置１によるエンボス加工方法について説明する。
【００２５】
まず、エンボス加工が行われるべき枚葉状の基材の裏面（すなわち、図１における下側の面）の全域にシート状の保護媒体５２を設置する。この際に、シート状の保護媒体５２が基材の側縁部からはみ出るようにする。次に、シート状の保護媒体５２が裏面に設置された基材を搬送部５０の各搬送ローラ５１に載せる。そして、図１や図２において二点鎖線で示す位置にある基材に対して接着剤供給部３０により接着剤を供給する。具体的には、基材が図１や図２における二点鎖線に示す箇所に位置しているときに、接着剤吐出部材３４を案内レール３２に沿って図２における上下方向に移動させながらこの接着剤吐出部材３４により接着剤を基材に向かって吐出させることにより、基材における幅方向（すなわち、図２における上下方向）の全域にわたって接着剤が供給されるようになる。
【００２６】
その後、搬送部５０により基材を図１や図２における右方向に移動させ、この基材を図１や図２における実線で示す箇所に位置させる。そして、搬送部５０により基材を図１や図２における実線で示す箇所から更に右方向に移動させ、エンボスロール１０と受けロール２０との間の隙間を通過させるようにする。また、この際に、巻出ロール４２から巻き出され、案内ロール４４によって案内された帯状のシート状媒体４０を、エンボスロール１０と受けロール２０との間の隙間に送り込まれた基材の表面（具体的には、基材における接着剤供給部３０により接着剤が供給された側の面）に送り込むようにする。このことにより、エンボスロール１０と受けロール２０との間において、案内ロール４４から送り込まれた帯状のシート状媒体４０と基材との間に接着剤が挟まれた状態で基材におけるシート状媒体４０が設けられた側の面がエンボスロール１０により受けロール２０側に押圧され、このことによりシート状媒体４０が基材に貼り付けられるようになる。また、シート状媒体４０がエンボスロール１０のエンボス版１２によって押圧されることによりエンボス版１２の凹凸模様がシート状媒体４０に転写される。このように、本実施の形態では、化粧材としてのシート状媒体４０を基材に貼り付ける動作と、当該シート状媒体４０に凹凸模様を形成する動作とを同時に行うことができるようになる。また、本実施の形態では、エンボスロール１０のエンボス版１２は冷却水１６により冷却されているため、接着剤をエンボス版１２により急速に冷却することができる。この場合には、接着剤を自然冷却させる場合と比較して、接着剤がレベリングしてしまうことを防止することができ、また、粘り気のある接着剤が固化されるため、接着剤を介して基材に接着されたシート状媒体４０に形成される凹凸模様を鮮明なものとすることができる。また、接着剤をエンボス版１２により急速に冷却する場合、すなわちシート状媒体４０と接着剤が柔らかい状態でエンボスロール１０を受けロール２０側に押圧し、すぐに接着剤が固化して賦形が完了する場合、エンボスロール１０を受けロール２０側に押圧する力を低減することができる。そして、エンボスロール１０を受けロール２０側に押圧する力が低減するとエンボス加工装置１をコンパクト化することができるという効果が得られる。
【００２７】
図３は、エンボスロール１０と受けロール２０との間の隙間を通って当該隙間から右方向に放出された基材を示す側面図である。図３に示すように、エンボスロール１０と受けロール２０との間の隙間から放出された基材は、接着剤が完全に固化されるまで放置される（エージング処理）。そして、接着剤が完全に固化された後、基材の側縁部が断裁刃等によって断裁されることにより基材の側縁部からはみ出た接着剤やシート状の保護媒体５２が除去され、凹凸模様が形成された完成品として基材が出来上がるようになる。
【００２８】
以上のような構成からなる本実施の形態のエンボス加工装置１およびこのようなエンボス加工装置１によるエンボス加工方法によれば、エンボス版１２が設けられたエンボスロール１０と受けロール２０との間において、供給されたシート状媒体４０と基材との間に接着剤が挟まれた状態で基材におけるシート状媒体４０が設けられた側の面をエンボスロール１０により受けロール２０側に押圧するようになっており、また、エンボスロール１０のエンボス版１２は、接着剤供給部３０により供給される接着剤の温度よりも低い温度に維持されるようになっている。このことにより、化粧材としてのシート状媒体４０を基材に貼り付ける動作と、エンボスロール１０のエンボス版１２によってシート状媒体４０に凹凸模様を形成する動作とを同時に行うことができるようになるため、基材に対してエンボス加工を行うにあたり装置の製造コストを低減するとともにエンボス加工にかかる時間を短縮することができる。より詳細に説明すると、従来技術では、基材の表面全域に接着剤を塗布した後、この基材の表面に化粧シートを載せて当該化粧シートを基材の表面に貼り付ける工程、および基材をエンボスロールと受けロールとの間に送る工程という２つの工程が必要となり、各々の工程で専用の加工装置が必要となるため、エンボス加工装置の製造コストが増大してしまうという問題があった。これに対し、本実施の形態では、化粧材としてのシート状媒体４０を基材に貼り付ける動作と、エンボスロール１０のエンボス版１２によってシート状媒体４０に凹凸模様を形成する動作とを同時に行うことにより、上記の従来技術の問題を解決することができる。さらに、エンボスロール１０のエンボス版１２は、供給される接着剤の温度よりも低い温度に維持されるようになっているため、接着剤をエンボス版１２により急速に冷却することができる。この場合には、接着剤を自然冷却させる場合と比較して、接着剤がレベリングしてしまうことを防止することができ、また、粘り気のある接着剤が固化されるため、接着剤を介して基材に接着されたシート状媒体４０に形成される凹凸模様を鮮明なものとすることができる。また、接着剤をエンボス版１２により急速に冷却する場合、すなわちシート状媒体４０と接着剤が柔らかい状態でエンボスロール１０を受けロール２０側に押圧し、すぐに接着剤が固化して賦形が完了する場合、エンボスロール１０を受けロール２０側に押圧する力を低減することができる。そして、エンボスロール１０を受けロール２０側に押圧する力が低減するとエンボス加工装置１をコンパクト化することができるという効果が得られる。
【００２９】
また、本実施の形態のエンボス加工装置１においては、接着剤供給部３０は、１００度乃至１５０度の範囲内の温度の接着剤を基材に供給するようになっている。
【００３０】
また、本実施の形態のエンボス加工装置１においては、エンボスロール１０のエンボス版１２を冷却するためのエンボスロール冷却部として冷却水１６が用いられるようになっている。この場合には、より確実に、エンボスロール１０のエンボス版１２を、接着剤供給部３０により供給される接着剤の温度よりも低い温度に維持することができるようになる。
【００３１】
また、本実施の形態のエンボス加工装置１においては、搬送部５０により搬送される基材におけるシート状媒体４０が供給される側の面とは反対側の面にシート状の保護媒体５２が設置されている。この場合には、エンボスロール１０と受けロール２０との間の隙間を基材が通過したときにこの基材とシート状媒体４０との間に挟まれている接着剤が基材の側縁部からはみ出した場合でも、はみ出した接着剤が受けロール２０等に付着してしまうことを防止することができるようになる。
【００３２】
なお、本実施の形態によるエンボス加工装置１およびエンボス加工方法は、上述したような態様に限定されることはなく、様々な変更を加えることができる。
【００３３】
本実施の形態によるエンボス加工装置１およびエンボス加工方法では、エンボスロール１０のエンボス版１２は、接着剤供給部３０により供給される接着剤の温度よりも低い温度に維持されるようになっているが、エンボス版１２を接着剤の温度よりも低い温度に維持する方法は冷却水１６を用いた方法に限定されることはない。エンボス版１２の温度が接着剤の温度よりも低い温度に維持されるのであれば、例えば接着剤供給部３０から基材に供給される接着剤の温度が１００度乃至１５０度の範囲内であるときに、エンボス版１２の温度が常温よりも高い温度に維持されるようになっていてもよい。具体的には、図４に示すように、エンボス版１２を加熱するためのヒータ１８が設けられており、このヒータ１８によりエンボス版１２が所定の温度に調整されるようになっていてもよい。また、エンボス版１２の内部に設けられた中空領域に冷却水１６を貯留させる代わりに温水１６を貯留させるようにしてもよい。このように、エンボス版１２と接着剤の温度差をヒータ１８や温水１６により制御することで、シート状媒体４０の素材特性に合わせてエンボス加工を行うことができ、よってシート状媒体４０の素材選択性を広げることができる。
【００３４】
また、エンボスロール１０と受けロール２０との間に挟まれるべき基材における接着剤供給部３０により接着剤が供給された側の面にシート状媒体４０を供給するシート状媒体供給部は、巻出ロール４２および案内ロール４４を組み合わせたものに限定されることはない。エンボスロール１０と受けロール２０との間に挟まれるべき基材における接着剤が供給された側の面にシート状媒体４０を供給することができるものであれば、図１に示す構成以外のものをシート状媒体供給部として用いてもよい。
【符号の説明】
【００３５】
１      エンボス加工装置
１０    エンボスロール
１２    エンボス版
１２ａ  凸部
１２ｂ  凹部
１４    軸
１６    冷却水、温水
１８    ヒータ
２０    受けロール
２２    軸
３０    接着剤供給部
３２    案内レール
３４    接着剤吐出部材
４０    シート状媒体
４２    巻出ロール
４４    案内ロール
５０    搬送部
５１    搬送ローラ
５２    保護媒体
【図１】
2017039225.tif 000003
【図２】
2017039225.tif 000004
【図３】
2017039225.tif 000005
【図４】
2017039225.tif 000006